(57)【要約】
【課題】  ペン軸構造の改造、改良により、使用者が自由にペン軸の造形、模様、色などを調整できる効果を達成でき、更に、高い認識性及び個人風の効果を得られるペンを提供する。
【解決手段】  パイプ形状のペン軸１の前端部は、直径がより小さい中空形状の貫通パイプ１１であり、その貫通パイプ１１の内部に1本のペンの芯２が設けられ、その貫通パイプ１１の外部に複数個の飾りリング３が嵌めて設けられ、その飾りリング３の表面に特殊な色、線又は模様が設計されている。又、貫通パイプ１１の前端に一つのペン先キャップ４を設けてあり、そのペン先キャップ４の螺旋圧迫により、各飾りリング３を相互に固定させることで、自由に飾りリング３を調整して個人風になるペンが構成される。
【選択図】    図１
0003100918.tif 000002
【実用新案登録請求の範囲】
【請求項１】
自由に造形可能なペンであって、
１本のペン軸があり、そのペン軸は中空のパイプであり、前段の部分に直径が小さい中空形状の貫通パイプが設けられ、その貫通パイプの前端に一つのねじ山部が設けられ、
１本のペンの芯があり、そのペンの芯は書く用具であり、そのペンの芯をペン軸の貫通パイプに貫通して設け、
複数個の飾りリングがあり、その飾りリングはリング形状であり、周りの表面に外観又は効果が異なる複数個の飾りプレートが設けられ、前記飾りリングの一つの端面に複数個のコンケーブホールが設けられ、別の一つの端面にコンケーブホールの位置と対応して複数個の凸粒が設けられ、
１個のペン先キャップがあり、そのペン先キャップは錐形状の中空体であり、中央にペンの芯を先端に貫通できる貫通穴が設けられ、後端に一つのねじ山部が設けられ、
前記複数個の飾りリングを使って同方向に並列させ、貫通パイプの外部に嵌めて設け、前記ペン先キャップのねじ山部を貫通パイプのねじ山部と締め付けることで、ペン先キャップを弛めた場合、自由に飾りリングを回して外観の造形が変更され、前記ペン先キャップを回して締めた場合、各飾りリングを緊密に接続でき、造形を固定可能なペンが構成されることを特徴とする自由に造形可能なペン。
【請求項２】
前記飾りリングにはリングを使っても良く、中間に１個の貫通穴が設けられ、一つの端面にコンケーブホールが設けられ、別の一つの端面に凸粒が設けられ、周りの表面に内部が広く外部が狭い複数個の収納スロットが設けられ、その収納スロットにはアーク形状であって底部に一つのインサートブロックがある１個の飾りプレートがそれぞれ設けられていることを特徴とする請求項１記載の自由に造形可能なペン。
【請求項３】
前記飾りリングにはリングを使っても良く、中間に１個の貫通穴が設けられ、一つの端面にコンケーブホールが設けられ、別の一つの端面に凸粒が設けられ、更に一つの端面の周りに均等に分布された複数個のダブテールスロットが設けられ、そのダブテールスロットにはアーク形状であって底部に一つのダブテールベースがある１個の飾りプレートがそれぞれ設けられていることを特徴とする請求項１記載の自由に造形可能なペン。
【請求項４】
前記飾りプレートの表面に印刷、塗布又は彫刻のいずれかで色、文字、線又は模様のいずれかがつけられていることを特徴とする請求項１記載の自由に造形可能なペン。
【請求項５】
前記飾りプレートは、シリコンゴムで一体成形して作っても良く、表面に印刷、塗布又は彫刻のいずれかで色、文字、線又は模様のいずれかがつけられていることを特徴とする請求項２記載の自由に造形可能なペン。
【請求項６】
前記飾りプレートは、シリコンゴムで一体成形して作っても良く、表面に印刷、塗布又は彫刻のいずれかで色、文字、線又は模様のいずれかがつけられていることを特徴とする請求項３記載の自由に造形可能なペン。
【請求項７】
前記貫通パイプの後段を直径が大きい一つのペン軸の上段と接続し、そのペン軸の前端面に複数個の飾りリングの凸粒と対応するコンケーブホールが設けられていることを特徴とする請求項１記載の自由に造形可能なペン。
【請求項８】
前記貫通パイプの前端のねじ山部を周りに設けることで外部ねじ山部を形成し、前記ペン先キャップの後端のねじ山部を内穴壁の中に設けて内部ねじ山部を形成し、相互に締め付けて接続させることを特徴とする請求項１記載の自由に造形可能なペン。
【請求項９】
前記貫通パイプの前端のねじ山部を内穴壁の中に設けて一つの内部ねじ山部を形成し、前記ペン先キャップの後端に一つの凸軸を設けてその凸軸の周りに一つの外部ねじ山部を設け、相互に締め付けて接続させることを特徴とする請求項１記載の自由に造形可能なペン。
【請求項１０】
前記ペンの芯にはボールペンの芯、スチールボールペンの芯又はシャープペンシルの芯のいずれかであることを特徴とする請求項１記載の自由に造形可能なペン。
【考案の詳細な説明】
【技術分野】
【０００１】
本考案は、自由に造形できるペンに関するものであり、ボールペン、スチールボールペン、シャープペンシル、万年筆、又はその他のペンに応用でき、特に、ペン軸の造形、模様、色の配列などについて、使用者自身が設計できるペンの構造設計に関するものである。
【背景技術】
【０００２】
従来のボールペン、スチールボールペン、シャープペンシル又はその他のペンに関する構造には、通常1本の中空ペン軸があり、そのペン軸の外側に一つのペンクリップが設けられ、そのペン軸の中に少なくとも1本のペンの芯が設けられ(そのペンの芯はボールペン、スチールボールペン、シャープペンシルのいずれを使っても良い)ている。又、ペン軸の上端に需要に応じてボタンを設けることで、ペンの芯を押して伸縮できる形態を使っても良い。更に、ペン軸の下端に、一つの中空の錐形状のペン先キャップを設け、ペンの芯の先端をペン先キャップの先端から貫通させて露出させることで、書く道具としてのペンが構成されるのである。
【考案の開示】
【考案が解決しようとする課題】
【０００３】
ただ、従来のペン軸の構造設計は、普段製造者が予めその外観形状を設計してから成形するので、ペン軸の造形が変化に乏しい。特に、同じ使用者の間での認識性が高くないので、使用者はペン軸の所に記号をつけなければならず、それは大変面倒である。又、現代人は自分風を講ずるので、ペンなどの物品も個人風の設計のものがほしくなるため、上述のような変更できない外観設計は、明らかに現代人の需要に合わないと思われる。
【０００４】
したがって、本考案の目的は、ペン軸構造の改造、改良により、使用者が自由にペン軸の造形、模様、色などを調整できる効果を達成でき、更に、高い認識性及び個人風の効果を得られるペンを提供することにある。
【課題を解決するための手段】
【０００５】
上述の目的を達成するための本考案の自由に造形できるペンにおいて、そのパイプ形状のペン軸の前端部は、直径がより小さい中空形状の貫通パイプであり、その貫通パイプの内部に1本のペンの芯が設けられ、その貫通パイプの外部に複数個の飾りリングが嵌めて設けられ、その飾りリングの表面に特殊な色、線又は模様が設計されている。又、貫通パイプの前端に一つのペン先キャップを設けてあり、そのペン先キャップの螺旋圧迫により、各飾りリングを相互に固定させることで、自由に飾りリングを調整して個人風になるペンが構成されるのである。
【考案を実施するための最良の形態】
【０００６】
以下、本考案の実施例を図面に基づいて説明する。
図１〜図３に、本考案の一実施例による自由に造形できるペンを示す。それは、一つのペン軸１、一つのペンの芯２、複数個の飾りリング３及び一つのペン先キャップ４で構成されている。
【０００７】
ペン軸１があり(図１の通り)、それは1本の中空のパイプで構成され、その前段の部分に直径がより小さい中空形状の貫通パイプ１１が設けられ、その貫通パイプ１１の前端に一つのねじ山部１２が設けられており、その貫通パイプ１１の後段を一つの直径がやや大きいペン軸の上段１３と接続する。そのペン軸の上段１３の前端面に、複数個の均等に分布されたコンケーブホール１４が設けられる、本実施例のペン軸１は、主に貫通パイプ１１の特徴を利用して、ペンの芯２、飾りリング３、ペン先キャップ４などのパーツを設けるのであるが、別にペンクリップ１５を設けるか、ペン軸１が固定式のペンの芯、回す伸縮式のペンの芯、押す伸縮式のペンの芯などの構造を使うかどうかはこの限りではないのである。
【０００８】
ペンの芯２があり(図１の通り)、それは書く用具であり、それをペン軸１の中空形状の貫通パイプ１１に貫通して設けることで、そのペンの芯の先端を貫通パイプ１１の前端に露出させる。そのペンの芯２にはボールペンの芯、スチールボールペンの芯、シャープペンシルの芯又はその他のペンの芯を使っても良いが、それは従来のものなので、その詳しい構造をここで説明しない。
【０００９】
飾りリング３があり(図１の通り)、その構成はリング形状であり、その中間に1個の貫通穴３１があり、その周りの表面に異なる複数個の飾りプレート３２が設けられている。飾りリングの一つの端面には均等に分布された複数個のコンケーブホール３３が設けられ、その別の一つの端面には均等に分布された複数個のコンケーブホール３３の位置と対応して複数個の凸粒３４が設けられる。飾りプレート３２の表面に印刷、塗布又は彫刻で色、模様、文字、線又はその他の飾りをつけることで、複数個の飾りリング３を隣接で配列する場合、マルチの外観変化の効果を生じるのである。
【００１０】
ペン先キャップ４があり(図１の通り)、それは錐形状の中空体であり、その中央にペンの芯２を先端に貫通できる貫通穴41が設けられ、その後端に一つの貫通パイプ１１の前端と締め付けて接続するねじ山部４２が設けられる。
上述により、ペンの芯２をペン軸１の貫通パイプ１１の内部に収納して、ペンの芯２の先端を貫通パイプ１１の前端に露出させ、複数個の飾りリング３を使って、同方向に並列させて、貫通パイプ１１の外部に嵌めて設け、ペン先キャップ４の後端ねじ山部４２を貫通パイプ１１の前端ねじ山部１２と締め付ける。これによって、ペン先キャップ４を弛めた場合、自由に飾りリング３を回して外観の造形を変更でき、ペン先キャップ４を回して締めた場合、各飾りリング３を緊密に接続できるので、その造形を固定できるペンが構成されるものである。
【００１１】
図４及び図５の通り、飾りリング３にはリング３５を使っても良いのである。その中間に1個の貫通穴３１が設けられ、その一つの端面に均等に分布された複数個のコンケーブホール３３が設けられ、別の一つの端面に均等に分布された複数個のコンケーブホール３３の位置と対応して凸粒３４が設けられる。更に、その周りの表面に内部が広くて外部が狭い複数個の収納スロット３６を設けてあり、それにはそれぞれ、アーク形状であってその底部に一つのインサートブロック３２１がある1個の飾りプレート３２が設けられている。又図６及び図７の通り、飾りリング３にはリング３５を使っても良い。その中間に1個の貫通穴３１が設けられ、その一つの端面に均等に分布された複数個のダブテールスロット３７が設けられ、それにはそれぞれ、アーク形状であってその底部に一つのダブテールベース３２２がある1個の飾りプレート３２が設けられている。ただ、その飾りプレート３２は、ゴム、シリコンゴム、プラスチック又はその他の材料を使って一体成形しても良いし、その表面に印刷、塗布又は彫刻で色、文字、線(図８の通り)又は模様(図９の通り)をつけても良い。これにより、複数個の飾りリング３を並列で貫通パイプ１１の外部に嵌めて設けた場合、その色、文字、線又は模様を利用して、造形が特殊なペンの外観を作ることができる。更に、使用者が自由に回して変化させることで、その他の配列効果が得られる。又は、その他の異なる飾りプレート３２に取替えて、もっとも自分風及び認識し易いものを創造できるのである。
【００１２】
飾りリング３を回して調整するモード(図１１の通り)について説明する。まず、ペン先キャップ４を弛めることで、各飾りリング３の間に少しの隙間を生じさせ、その一端での凸粒３４を別の一つの飾りリング３のコンケーブホール３３から離れさせることで、自由に1個又は複数個の飾りリング３を回して、個人の好きな色効果、文字、模様などを配列する。回して調整した後、上述のペン先キャップ４を改めて締め付けることで、各飾りリング３を緊密に並列させ(図１０の通り)、更に、その凸粒３４を別の一つの飾りリング３のコンケーブホール３３の中に嵌める。上述により、調整した色効果、文字、模様を固定できるのである。
【００１３】
又、本実施例で記載された貫通パイプ１１の前端に一つのねじ山部１２を設け、ペン先キャップ４の後端でのねじ山部４２と締め付けて接続する(図１及び図１０の通り)。その実施方式としては、貫通パイプ１１の前端の周りに外部ねじ山部１２を設け、ペン先キャップ４の後端の穴の中に内部ねじ山部４２を設け、相互に締め付けて接続する(図１２及び図１３を参照)。又、貫通パイプ１１の前端の内穴壁の中に内部ねじ山部１２’を設け、ペン先キャップ４の後端に一つの凸軸４３を設け、その凸軸４３の周りに外部ねじ山部４２’を設けることで、同一な締め付け効果を達成できる。
【００１４】
又、説明を必要とするのは、一つのペン軸１、一つのペンの芯２、複数個の飾りリング３及び一つのペン先キャップ４を応用するということである。その具体的な実施例は、ボールペン、スチールボールペン、シャープペンシル、その他のペンなどがあるが、それはペンの芯２を交換するだけである。又、それを具体的に固定式のペンの芯、回す伸縮式のペンの芯、又は押す伸縮式のペンの芯の構造のいずれかに実施しても、従来の技術に上述の構造の特徴を加えるだけで、本考案はすべて運用できるので、上述の実施例だけに限られないのである。
【００１５】
本考案は、ペン軸構造の改造、改良により、使用者が自由にペン軸の造形、模様、色などを調整できる効果を達成できる。更に、高い認識性及び個人風の効果を得られる。
本考案は1本のパイプ形状のペン軸前段部に直径がより小さい中空形状の貫通パイプが設けられ、その貫通パイプの内部に一つのペンの芯が設けられ、その貫通パイプの外部の周りに複数個の飾りリングが設けられる。その飾りリングの前、後端に、それぞれ複数個の凸粒及び複数個のコンケーブホールを設けることで、各リングを回して調整するか定位することができる。更に、各リングの周りの表面に特殊な色、線又は模様がつけられる。又、貫通パイプの前端に一つのペン先キャップを設けてあり、そのペン先キャップを締め付けることで、各飾りリングが凸粒及びコンケーブホールで相互に固定できる。上述により、自由に回して飾りリングを調整することで、自由に造形、模様又は色を変更して個人風のペンを創造できるのである。
【００１６】
また本考案で、飾りリングには周りに複数個の収納スロットが設けられたリングを使っても良いのであり、それにより、各収納スロットにシリコンゴム材の飾りプレートが設けられる。更に、このような複数の収納スロットに飾りプレートを結び付ける設計を利用すれば、使用者が自由に異なる飾りプレートを使ってペンを飾ることができる。更に、回すことでその外観の模様、文字などを調整できるので、もっとも自分風及び認識性の高いものを創造できるのである。
【００１７】
さらに本考案は、その飾りプレートの表面に文字、模様、線又は異なる色がつけられているので、使用者が自由に選んで応用できるのである。
【図面の簡単な説明】
【００１８】
【図１】本考案の一実施例によるペンの局部分解状態を示す立体図である。
【図２】本考案の一実施例によるペンを組み立てた状態を示す立体図である。
【図３】本考案の一実施例によるペンを組み立てた状態を示す正面図である。
【図４】本考案の一実施例によるペンの飾りリングを示す局部分解立体図である。
【図５】本考案の一実施例によるペンの飾りリングの構成状態を示す模式図である。
【図６】本考案の一実施例によるペンの飾りリングを示す局部分解立体図である。
【図７】本考案の一実施例によるペンの飾りリングの構成状態を示す模式図である。
【図８】本考案の一実施例によるペンの飾りプレートを示す模式図である。
【図９】本考案の一実施例によるペンの飾りプレートを示す模式図である。
【図１０】本考案の一実施例によるペンの各飾りリングが緊密に並列された状態を示す模式図である。
【図１１】本考案の一実施例によるペンのペン先キャップを弛めた状態を示す模式図である。
【図１２】本考案の一実施例によるペンのペン先キャップを貫通パイプと締め付ける構造を示す分解立体図である。
【図１３】本考案の一実施例によるペンのペン先キャップを貫通パイプと締め付けた構造を示す模式図である。
【符号の説明】
【００１９】
１  ペン軸、２  ペンの芯、３  飾りリング、４  ペン先キャップ、１１  貫通パイプ、１２  ねじ山部、１２’  ねじ山部、１３  ペン軸の上段、１４  コンケーブホール、１５  ペンクリップ、３１  貫通穴、３２  飾りプレート、３３  コンケーブホール、３４  凸粒、３５  リング、３６  収納スロット、３７  ダブテールスロット、４１  貫通穴、４２  ねじ山部、４２’  ねじ山部、３２１  インサートブロック、３２２  ダブテールベース
【図１】
0003100918.tif 000003
【図２】
0003100918.tif 000004
【図３】
0003100918.tif 000005
【図４】
0003100918.tif 000006
【図５】
0003100918.tif 000007
【図６】
0003100918.tif 000008
【図７】
0003100918.tif 000009
【図８】
0003100918.tif 000010
【図９】
0003100918.tif 000011
【図１０】
0003100918.tif 000012
【図１１】
0003100918.tif 000013
【図１２】
0003100918.tif 000014
【図１３】
0003100918.tif 000015